(57)【要約】【課題】装着されたアタッチメントに合わせて操作表示を切り替え、アタッチメントに合わせた操作を行ない得る操作性の優れた建設機械の操作装置を提供する。【解決手段】建設機械の運転室内に設けられた操作レバーと、この操作レバーの操作に基いてアクチュエータを制御するコントローラを備えた建設機械の操作装置において、上記操作レバーの先端グリップの上部にタッチパネルを設け、上記コントローラは、上記タッチパネルの複数の表示画面を記憶するメモリと、このメモリの表示画面を上記タッチパネルに出力すると共に、上記タッチパネルからのタッチ入力を認識して対応するアクチュエータに制御信号を出力する制御部を有することを特徴とする。【選択図】図４
2011156913.tif 000002
【特許請求の範囲】
【請求項１】
建設機械の運転室内に設けられた操作レバーのグリップに設けられた操作部と、この操作部の操作に基いて建設機械のアームに装着されたアタッチメントの動作を制御するコントローラを備えた建設機械の操作装置において、
上記操作部は、上記グリップに設けられたタッチパネルで構成され、
上記コントローラは、建設機械のアームに装着されるアタッチメントに応じた複数種の操作画面を記憶するメモリと、装着されたアタッチメントに応じた操作画面を上記メモリから上記タッチパネルに出力して表示すると共に、上記タッチパネルからのタッチ入力を認識してアタッチメントを動作させるアクチュエータに制御信号を出力する制御部を有することを特徴とする建設機械の操作装置。
【請求項２】
請求項１に記載の建設機械の操作装置において、
上記操作画面は、装着されたアタッチメントの動作に対応した方向に操作される操作シンボルで構成されていることを特徴とする建設機械の操作装置。
【請求項３】
請求項２に記載の建設機械の操作装置において、
上記操作画面の操作シンボルは、操作伴って表示位置が画面上で移動するように上記コントローラで制御されることを特徴とする建設機械の操作装置。
【請求項４】
請求項２に記載の建設機械の操作装置において、
上記操作画面の操作シンボルは、操作に基いて表示色が画面上で変わるように上記コントローラで制御されることを特徴とする建設機械の操作装置。
【請求項５】
請求項２に記載の建設機械の操作装置において、
上記操作画面の操作シンボルは、装着されたアタッチメントの回転動作に対応して回転操作されることを特徴とする建設機械の操作装置。
【発明の詳細な説明】
【技術分野】
【０００１】
本発明は、建設機械の操作装置に係り、特にアームの先端に装着される多種のアタッチメントの操作に好適な操作装置に関する。
【背景技術】
【０００２】
油圧ショベルなどの建設機械では、作業の種類に応じてアーム先端に多種多様のアタッチメントが交換装着され、装着されたアタッチメントに付属のアクチュエータが運転席内の操作装置により駆動操作される。したがって、アタッチメントが交換された場合、付属のアクチュエータの特有な動作に合わせるために、操作装置の操作機能を変える必要がある。
【０００３】
特許文献１には、操作部のスイッチ操作に応じた操作信号を発生する操作回路にコネクタを介して着脱可能に電気回路を組み込み、スイッチ操作により異なる態様の操作信号を発生するように回路構成を変更して、スイッチの機能を変更するものが記載されている。例えば、プッシュ式を自己保持型に変更、単一のスイッチ操作により複数の操作信号の出力、複数スイッチの操作で同一スイッチに複数の機能を持たせる、などのスイッチの機能変更が行えるものである。この構成によれば、アタッチメントが交換された場合、着脱可能に電気回路を単に組み込むだけで、交換されたアタッチメントに合わせてスイッチの機能変更が容易に行なえる利点がある。
【先行技術文献】
【特許文献】
【０００４】
【特許文献１】特開２００５−１６３４４２号公報
【発明の概要】
【発明が解決しようとする課題】
【０００５】
しかし、一般にアタッチメントが交換装着されたときは、このアタッチメントに付属のアクチュエータの動作が交換前とは異なる種類の動作となるが、上記従来技術では、各スイッチはそのまま使用され、各スイッチの機能を変えているので、変更後のスイッチ機能の習熟に時間を要するという問題がある。また、スイッチは常に同一動作の押し下げにより操作されるが、この押し下げ方向とアタッチメント（アクチュエータ）の動作方向とが直接的に対応しておらず、イメージ上の方向不一致により操作者に疲労感を与える恐れがある。また、このイメージ上の方向不一致は、アタッチメント交換に伴う変更されたスイッチ機能の習熟にも悪影響を与える恐れがある。
【０００６】
本発明は、上記従来技術の問題点を解消し、装着されたアタッチメントに合わせて操作表示を簡単に切り替え、操作機能の短時間習熟およびアタッチメントの動作に合わせた操作を行ない得る、操作性の優れた建設機械の操作装置を提供するものである。
【課題を解決するための手段】
【０００７】
上記課題を解決するため本発明は、建設機械の運転室内に設けられた操作レバーのグリップに設けられた操作部と、この操作部の操作に基いて建設機械のアームに装着されたアタッチメントの動作を制御するコントローラを備えた建設機械の操作装置において、
上記操作部は、上記グリップに設けられたタッチパネルで構成され、
上記コントローラは、建設機械のアームに装着されるアタッチメントに応じた複数種の操作画面を記憶するメモリと、装着されたアタッチメントに応じた操作画面を上記メモリから上記タッチパネルに出力して表示すると共に、上記タッチパネルからのタッチ入力を認識してアタッチメントを動作させるアクチュエータに制御信号を出力する制御部を有することを特徴とする。
【０００８】
また、上記に記載の建設機械の操作装置において、上記操作画面は、装着されたアタッチメントの動作に対応した方向に操作される操作シンボルで構成されていることを特徴とする。
【０００９】
また、上記に記載の建設機械の操作装置において、上記操作画面の操作シンボルは、操作伴って表示位置が画面上で移動するように上記コントローラで制御されることを特徴とする。
【００１０】
また、上記に記載の建設機械の操作装置において、上記操作画面の操作シンボルは、操作に基いて表示色が画面上で変わるように上記コントローラで制御されることを特徴とする。
【００１１】
また、上記に記載の建設機械の操作装置において、上記操作画面の操作シンボルは、装着されたアタッチメントの回転動作に対応して回転操作されることを特徴とする。
【発明の効果】
【００１２】
本発明によれば、装着されたアタッチメントに合わせた操作表示を簡単に切替えることができ、アタッチメントの動作に対応した操作で操作性を向上させることができる。
【図面の簡単な説明】
【００１３】
【図１】本発明の実施例１が適用される建設機械の側面図。
【図２】図１の建設機械の操作レバーを示す図。
【図３】本発明の実施例１の制御系のブロック構成図。
【図４】図２のタッチパネルの操作画面例を示す図。
【図５】本発明の実施例２の制御系のブロック構成図。
【図６】同じく実施例２が適用される建設機械の側面図。
【発明を実施するための形態】
【００１４】
以下、図１から図６に基づいて本発明の建設機械の操作装置の実施例について説明する。
【００１５】
図１は、本発明の実施例１が適用される建設機械の側面図で、油圧ショベルをベースマシンとし、アタッチメントとして草刈機が装着された例を示している。
【００１６】
ベースマシンとしての油圧ショベルは、走行体１と、走行体１上に旋回可能に設けられた旋回体２と、旋回体２に一体に設けられた運転室２Ａと、旋回体２に回動可能に設けられたフロント装置３とを有する。フロント装置３は、ブームシリンダ４ａを介して旋回体２に回動可能に軸支されたブーム３Ａと、アームシリンダ４ｂを介してブーム３Ａの先端に回動可能に軸支されたアーム３Ｂと、アーム３Ｂの先端に軸支されたブラケット５を介し、作業装置用シリンダ４ｃにより回動可能に支持された草刈機本体６とを有する。
【００１７】
草刈機本体６は、カバーと６１とカバー６１に回転可能に支持された回転体６２とを有する。回転体６２にはカッターが装着され、回転体６２の回転動作によってカッターで草を切断する。回転体６２は図示しない油圧モータ（以下、回転体用モータと呼ぶ）の駆動により回転する。カバー６１は軸線Ｌ１を中心にブラケット５に対して回転可能に設けられ、図示しない油圧モータ（以下、カバー用モータと呼ぶ）の駆動により回転体６２と一体にカバー６１が回転し、車体に対する回転体６２の向きが変化する。また、草刈機本体６には紙面に交差する方向の左右一対のチルトシリンダ（図示せず）が設けられ、チルトシリンダの駆動により水平線に対する回転体６２の傾斜角が変化する。
【００１８】
図２に示すように、運転室２Ａ内にはシリンダ４ａ〜４ｃおよび旋回体２の旋回動作用の油圧モータ（図示せず）を操作する２本の操作レバー８Ａ，８Ｂが設けられている。各操作レバー８Ａ，８Ｂは図示矢印で示すように直交する四方向に操作可能であり、この操作に応じてブームシリンダ４ａ、アームシリンダ４ｂ、作業装置用シリンダ４ｃおよび旋回用油圧モータがそれぞれ駆動される。
【００１９】
操作レバー８Ａと８Ｂの先端にはそれぞれグリップ９Ａと９Ｂが設けられ、グリップ９Ａと９Ｂの上部には操作部としてのタッチパネル１０Ａと１０Ｂが設けられている。上記タッチパネル１０Ａと１０Ｂには、アーム先端に装着された草刈機６の動作に対応した操作画面がシンボル表示され、操作者が操作レバーを操作しながら、この操作画面を指で触れて操作することにより、草刈機本体６の各アクチュエータが駆動される。
【００２０】
図３は本発明の実施例１の制御系のブロック構成図であり、図２と同一符号は同一部分を示す。１１Ａ、１１Ｂは、操作者による操作によるタッチパネル１０Ａ、１０Ｂから出力される操作信号（タッチ入力）を検出する検出器である。検出器１１Ａ、１１Ｂは、それぞれグリップ９Ａ、９Ｂに内蔵される。１２はコントローラで、各種アタッチメントに対応した複数種類の操作画面情報を記憶するメモリ１２ａを有し、この各種操作画面情報を上記メモリ１２ａから読み出して上記タッチパネル１０Ａ、１０Ｂに出力すると共に、検出器１１（１１Ａ、１１Ｂ）を介して上記タッチパネルからのタッチ入力を認識して、アタッチメントを駆動するアクチュエータに制御信号を出力する制御部１２ｂを有する。
【００２１】
１３は、運転室２Ａ内に設けられたモニタユニットで、装着されるアタッチメントの設定と、設定されたアタッチメントに対応した上記メモリ１２ａ内の操作画面を設定する。ここでの画面設定は通信によりコントローラに伝達され、コントローラ１２内の制御部１２ｂによってメモリ１２ａから該当の操作画面情報が読み出され、タッチパネル１０Ａ、１０Ｂに出力される。操作画面情報は図４に示すような画面情報であり、モニタユニット１３の上記の設定によりタッチパネル１０Ａ、１０Ｂに表示される。
【００２２】
タッチパネル１０Ａ、１０Ｂは、液晶画面とその表面に形成された透明電極の入力部（図示せず）とから構成され、コントローラ１２からの各種操作画面情報に基いて操作画面がシンボル表示され、操作者が表示されたシンボルを指で触れて操作することにより位置信号が出力され、検出器１１Ａ、１１Ｂを介してタッチ入力がコントローラ１２に入力される。コントローラ１２はタッチ入力を認識して、指の操作に基いてアタッチメントのアクチュエータに制御信号を出力する。
【００２３】
１４は、上記コントローラ１２から出力される制御信号によって駆動される比例弁であり、油圧ポンプ１５から出力される油圧を変化させて油圧シリンダ（アクチュエータ）１６、または油圧モータ（アクチュエータ）１７を駆動制御する。このようにして、操作者によるタッチパネルの操作に基いて、油圧シリンダ１６、または油圧モータ１７が駆動され、装着されたアタッチメントが所定の方向に動作する。
【００２４】
上記構成において、アタッチメントとして草刈機本体６について説明する。作業手順として、先ず、建設機械のアーム先端のブラケット５に草刈機６が装着され、草刈機本体６のアクチュエータである前記回転体用モータ、カバー用モータおよびチルトシリンダ（いずれも図示せず）と、ベースマシンに予め用意されている複数種類の油圧パイプとが接続される。次いで、モニタユニット１３により、アタッチメントとして草刈機を設定すると共に、草刈機に対応した操作画面情報を設定する。この設定された操作画面情報はメモリ１２ａから読み出され、タッチパネルに出力される。ここで、タッチパネル１０Ａには図４（ａ）の操作画面が表示され、タッチパネル１０Ｂには図４（ｂ）の操作画面が表示されるものとする。
【００２５】
図４（ａ）の操作画面は、横向きのＬＲバー１０Ｃとその中央の黒四角部１０Ｄと、黒丸１０Ｊの操作シンボルからなり、黒四角部１０Ｄに指を触れてＬＲバー１０Ｃの範囲内で左右に直線方向に移動操作することにより、これに追従して黒四角部１０Ｄの表示位置が画面上で移動するように構成されている。この黒四角部１０Ｄの操作シンボルの表示位置の移動は、操作シンボルの操作に基くタッチ入力の取込みによって、コントローラ１２から操作シンボルの表示位置の変更指令により制御されている。
【００２６】
タッチパネル１０Ａでの黒四角部１０Ｄの操作シンボルの操作は、検出器１１Ａでタッチ入力として検出されてコントローラ１２に入力され、コントローラ１２では操作量（スライド量）を読取り、制御部１２ｂから比例弁１４に制御信号として電流を出力する。比例弁１４は、タッチパネルでのスライド操作量に応じた動作でポンプ１５の圧力を変化させ、油圧シリンダ（アクチュエータ）１６を駆動する。
【００２７】
この油圧シリンダ１６は、図１に示す草刈機本体６に設けられている左右一対のチルトシリンダ（図示せず）に用いられ、図４（ａ）の操作画面で黒四角部の操作シンボルを左右にスライド操作することにより、草刈機本体６の水平線に対する回転体６２の傾斜角を左右に変化することができる。この操作画面では、指による操作シンボルの操作方向と草刈機本体の動作方向が左右（横）方向で一致しており、イメージ上の方向が同じで操作が容易となり疲れを生じることが少ない。また、上記操作画面の操作シンボルの移動操作伴って表示位置が移動するので、アクチュエータの動作が実感でき、移動位置の確認にも役立つ。
【００２８】
また、タッチパネル１０Ａでの黒丸１０Ｊに指を接触することにより、コントローラ１２から信号を比例弁１４に出力し、油圧モータ１７を駆動する。ここで油圧モータ１７は前記回転体用モータであり、黒丸１０Ｊの接触操作により回転体６２を回転させる。また、黒丸１０Ｊは接触操作されたときにより、自己保機能を持たせるように黒から白に表示色が変り、白状態では回転体６２が回転動作し続けており、再度押すことにより白から黒に変わり回転体６２が停止するように構成されている。この表示色の変化は、操作シンボル１０Ｊの操作に基くタッチ入力の取込みによって、コントローラ１２から操作シンボルの表示色の変更指令により制御されている。
【００２９】
上記のように、タッチパネル１０Ａでは２種の操作シンボルによって、２種のアクチュエータ１６と１７の操作を同時に行なうことができる。また、操作画面の操作シンボルの移動操作伴って表示位置が移動するので、アクチュエータの動作が実感でき移動位置の確認にも役立つ。さらに、上記操作画面の操作シンボルの表示色の変化は回転体６２の動作確認に役立つ。
【００３０】
次に、タッチパネル１０Ｂについて説明する。タッチパネル１０Ｂには前述のように図４（ｂ）の操作画面が表示され、円形枠１０Ｅの偏心位置に黒丸１０Ｆの操作シンボルが配置されている。黒丸１０Ｆは、指で触れて円周に沿って時計方向と半時計方向に回転操作することにより、これに追従して表示位置が画面上で回転移動するように構成されている。この黒丸１０Ｆの操作シンボルの表示位置の回転移動は、操作シンボルの操作に基くタッチ入力の取込みによって、コントローラ１２から操作シンボルの表示位置の変更指令により制御されている。
【００３１】
タッチパネル１０Ｂでの上記操作は、前記タッチパネル１０Ａと同様に検出器１１Ｂを経てコントローラ１２に入力され、コントローラ１２では操作量（周回量）を読取り、制御部１２ｂから比例弁１４に電流を出力する。比例弁１４は、タッチパネルでのスライド操作量に応じて動作してポンプ１５の圧力を変化させ、油圧モータ（アクチュエータ）１７を駆動する。
【００３２】
この場合のアクチュエータ１７は、図１においてブラケット５に対して軸線Ｌ１を中心にカバー６１を回転させる前記カバー用モータ（油圧モータ）（図示せず）に用いられ、タッチパネル１０Ｂの操作画面で黒丸１０Ｆを回転操作することにより、草刈機本体６の回転体６２と一体にカバー６１が回転し、車体に対する回転体６２の向きを変化させることができる。この操作画面では、指による操作シンボルの操作方向と、草刈機の回転体の動作方向が共に回転方向で一致しているため、イメージ上の方向が同じで操作が容易となり疲れを生じることが少ない。また、上記操作画面の操作シンボルの移動操作伴って表示位置が回転移動するので、アクチュエータの回転動作が実感でき、移動位置の確認にも役立つ。
【００３３】
次に、本発明の実施例２について説明する。図５と図６は、実施例２の制御系のブロック構成図と、建設機械の側面図であり、油圧ショベルをベースマシンとし、アタッチメントとしてブレーカが装着された例を示している。図１および図３と同一符号は同一部分を示す。
【００３４】
図６において、７はアーム３Ｂの先端に軸支され、作業装置用シリンダ４Ｃにより上下に移動自在（回動自在）に支持されたブレーカ本体であり、カバー７１と加振ロッド７２を有している。ブレーカ本体７は、加振ロッド７２に打撃を与える油圧シリンダとそのピストン（いずれも図示せず）を内蔵しており、打撃が与えられた加振ロッド７２を岩石やコンクリートなどの被破砕物に押付けて衝撃を与えて破砕する。
【００３５】
上記構成において、アタッチメントとしてブレーカについて説明する。先ず、建設機械のアーム先端にブレーカ７が装着され、加振ロッド７２に打撃を与える油圧シリンダと、ベースマシンに用意されている油圧パイプとが接続される。次いで、モニタユニット１３（図５で図示省略）により、アタッチメントとしてブレーカを設定すると共に、ブレーカに対応した操作画面情報を設定する。この設定された操作画面情報はメモリ１２ａから読み出され、タッチパネルに出力される。ここで、タッチパネル１０Ａには図４（ｄ）の操作画面が読み出されて表示され、タッチパネル１０Ｂには図４（ｃ）の操作画面が読み出されて表示されるものとする。
【００３６】
図４（ｄ）の操作画面は、ＨＯＲＮの白丸１０ＫとＡＴＴ１の黒丸１０Ｊの２種の操作シンボルからなり、白丸１０Ｋ及び／又は黒丸１０Ｊを指で接触操作することによりタッチ入力がなされる。白丸１０Ｋを指で接触操作することにより、コントローラ１２から信号を発生し、ホーン（警笛）１８を鳴らす。また、黒丸１０Ｊを操作ことにより、コントローラ１２から信号を比例弁１４に出力し、油圧シリンダ１６を駆動する。ここで油圧シリンダ１６は、加振ロッド７ｂに打撃を与える油圧シリンダとして用いられ、黒丸１０Ｊの操作によりブレーカ７が駆動される。
【００３７】
また、黒丸１０Ｊの操作シンボルは操作されたとき、自己保機能を持たせるように黒から白に表示色が変り、白状態ではブレーカが動作し続けており、再度操作することにより白から黒に変わりブレーカが停止するように構成されている。この表示色の変化は、操作シンボル１０Ｊの操作に基くタッチ入力の取込みによって、コントローラ１２から操作シンボルの表示色の変更指令により制御されている。この実施例の黒丸１０Ｊの操作シンボルは、図４（ａ）の黒丸１０Ｊと同様な、動作・停止の機能を有するので符号を同一とした。
【００３８】
図４（ｄ）の操作画面は、上記のように、２種の操作シンボルによって、２種のアクチュエータ１６と１７の操作を同時に行なうことができ、騒音が生じるブレーカの作業において、作業前に周囲に警報を与えるのに役立つ。また、ブレーカの動作は被破砕物に押圧して加振するので、１０Ｊの操作シンボルの接触（押下げ）は、ブレーカの動作と操作イメージが一致しており、操作が容易である。さらに、上記操作画面の操作シンボルの表示色の変化はブレーカの動作確認に役立つ。
【００３９】
図４（ｃ）の操作画面は、縦向きの上下バー１０Ｇとその中央の黒四角部１０Ｈの操作シンボルからなり、黒四角部１０Ｈの操作シンボルに指を触れて上下バー１０Ｈの範囲内で上下に移動操作することにより、これに追従して黒四角部１０Ｈが画面上で上下にスライドするように構成されている。黒四角部１０Ｈに指を触れて上下に直線方向に移動操作することにより、これに追従して黒四角部１０Ｈの表示位置が画面上で移動するように構成しても良い。
【００４０】
上記黒四角部１０Ｈの上下のスライド動作は、コントローラ１２の指令により制御されている。タッチパネル１０Ｂでの上記操作は、検出器１１Ｂでタッチ入力として検出されてコントローラ１２に入力され、コントローラ１２では操作量（スライド量）を読取り、制御部１２ｂから比例弁１４に電流を出力する。比例弁１４は、タッチパネルでのスライド操作量に応じて動作してポンプ１５の圧力を変化させ、油圧シリンダ（アクチュエータ）１６を駆動する。
【００４１】
本実施例では、この油圧シリンダ１６を図６に示す作業装置用シリンダ４Ｃとして用いられ、図４（ｃ）の操作画面で黒四角部１０Ｈの操作シンボルを上下にスライド操作することにより、ブレーカ本体７を上下に移動制御して、加振ロッド７２の被破砕物への押付け力を微妙に調整することができる。この操作画面では、指による操作シンボルの操作方向とブレーカ本体７の移動方向が上下方向で一致しており、イメージ上の方向が同じで操作が容易で疲れが生じ難い。上記の場合、作業装置用シリンダ４Ｃは、操作レバー８Ａ、８Ｂによる制御からは外される。
【符号の説明】
【００４２】
１〜３…建設機械、２Ａ…運転室、３Ｂ…アーム、４ａ、４ｂ、４ｃ…アクチュエータ、６、７…アタッチメント、８（８Ａ、８Ｂ）…操作レバー、９（９Ａ、９Ｂ）…グリップ、１０Ａ、１０Ｂ…タッチパネル（操作部）、１０Ｄ、１０Ｆ、１０Ｈ、１０Ｊ、１０Ｋ…操作シンボル、１１（１１Ａ、１１Ｂ）…検出器、１２…コントローラ、１２ａ…メモリ、１２ｂ…制御部、１６、１７…アクチュエータ。
【図１】
2011156913.tif 000003
【図２】
2011156913.tif 000004
【図３】
2011156913.tif 000005
【図４】
2011156913.tif 000006
【図５】
2011156913.tif 000007
【図６】
2011156913.tif 000008